(57)【要約】【課題】風通しを確保しつつ、健康増進効果をも期待できるリュックサックを提供する。【解決手段】  リュックサック１は、収納部２と、収納部２に取り付けられた一対の肩掛けベルト３と、収納部２を支持して、着用者の背中に装着されるサポータ４とを備える。サポータ４は、通気性を有するメッシュネット１０と、収納部２の上下左右に沿って設けられた環状のフレーム体１１と、メッシュネット１０および収納部２との間で、フレーム体１１にスプリング１２を介して取付けられるボール部材１３とを有している。そして、リュックサック１が肩掛けベルト３によって背中に着用された状態で、ボール部材１３は、スプリング１２によりメッシュネット１０を押す方向に付勢するように配置されている。【選択図】図１
2020089505.tif 000002
【特許請求の範囲】
【請求項１】
収納部と、
前記収納部に取り付けられた一対の肩掛けベルトと、
前記収納部を支持して、着用者の背中に装着されるサポータとを備え、
前記サポータは、前記収納部の上下左右に沿って設けられた環状のフレーム体と、
前記フレーム体に取付けられ、前記収納部から離間して設けられたメッシュネットと、
前記メッシュネットおよび前記収納部との間で、前記フレーム体に弾性部材を介して取付けられる指圧部材とを有し、
前記指圧部材は、前記弾性部材により前記メッシュネットを押す方向に付勢して配置されることを特徴とするリュックサック。
【請求項２】
前記フレーム体は、前記収納部の上側及び下側では、前記収納部に近づく方向に湾曲し、前記収納部の左側及び右側では、前記収納部から離間する方向に湾曲して形成され、
前記弾性部材は、前記フレーム体の左側に設けた第１弾性部材と、前記フレーム体の右側に設けた第２弾性部材とを有し、
前記指圧部材は、前記第１弾性部材と前記第２弾性部材との間に取付けられていることを特徴とする請求項１記載のリュックサック。
【請求項３】
前記指圧部材は、複数の球状に形成されるボールを有し、前記ボールは、前記着用者の第８胸椎から第１０胸椎の間に位置するように、前記フレーム体に前記弾性部材を介して回転可能に取付けられていることを特徴とする請求項１または２記載のリュックサック。
【発明の詳細な説明】
【技術分野】
【０００１】
本発明は、リュックサックに関する。
【背景技術】
【０００２】
従来のリュックサックは、収納部を構成する背当面となる背板が直接、着用者の背中に接触しないように通風手段を備えている。
従来の通風手段は、背板に対面するように、メッシュ網材質の通風板が設けられている（例えば特許文献１，２等参照）。
【０００３】
通風板は、背板との間に一定の間隔が維持されるように、その下部固定パネルを円弧形に撓った状態の弾性力で維持して、背板と離隔させている。
このようなリュックサックでは、着用状態が長時間に及んだ場合、着用者の背中が汗ばむのを防止して、快適に使用することができる。
【先行技術文献】
【特許文献】
【０００４】
【特許文献１】特開２００７−３１３３２１号公報
【特許文献２】実用新案登録第３０８８２０４号公報
【発明の概要】
【発明が解決しようとする課題】
【０００５】
しかしながら、従来のリュックサックでは、背中の汗ばみについては防止できるものの風通しを良くするまでには及ばない。また、着用状態が長時間に及ぶと疲労が蓄積することについては、なんら配慮がされていない。
本発明は、風通しを確保しつつ、健康増進効果をも期待できるリュックサックを提供することを課題とする。
【課題を解決するための手段】
【０００６】
本発明のリュックサックは、収納部と、収納部に取り付けられた一対の肩掛けベルトと、収納部を支持して、着用者の背中に装着されるサポータとを備え、サポータは、収納部の上下左右に沿って設けられた環状のフレーム体と、フレーム体に取付けられ、収納部から離間して設けられたメッシュネットと、メッシュネットおよび収納部との間で、フレーム体に弾性部材を介して取付けられる指圧部材とを有し、指圧部材は、弾性部材によりメッシュネットを押す方向に付勢して配置される構成とした。
【発明の効果】
【０００７】
本発明によれば、風通しを確保しつつ、健康増進効果をも期待できるリュックサックが提供できる。
【図面の簡単な説明】
【０００８】
【図１】本発明の実施形態にかかるリュックサックを、斜め前方から見た全体の構成を説明する斜視図である。
【図２】本発明の実施形態にかかるリュックサックを、背中に着用した状態の側面図である。
【図３】本発明の実施形態にかかるリュックサックを、収納部側から見た斜視図である。
【図４】本発明の実施形態にかかるリュックサックに用いられるフレーム体の形状を説明する斜視図である。
【図５】本発明の実施形態にかかるリュックサックの指圧部材と使用者における指圧位置との関係を模式的に示す説明図である。
【図６】変形例のリュックサックで、フレームが収納部に一体に設けられている構成を斜め前方から見た斜視図である。
【発明を実施するための形態】
【０００９】
以下、本発明の一実施形態について、適宜図面を参照しながら説明する。同一の構成要素には同一の符号を付し、重複する説明を省略する。方向を説明する際には、特に示さない限り、基本的にメッシュネット側から見た方向に基づいて説明する。
【００１０】
図１乃至図３に示すように、リュックサック１は、収納部２と、収納部２に取り付けられた一対の肩掛けベルト３，３と、収納部２を支持して着用者Ｐの背中ＰＢに装着されるサポータ４とを備えている。そして、サポータ４は、フレーム体１１とメッシュネット１０とスプリング（弾性部材）１２と、木製のボール部材（指圧部材）１３とを有している。
【００１１】
収納部２は、着用者Ｐの背中ＰＢに対向する背板２４と、他の部材により袋状を呈して上側２ａに荷物を出入可能な上部開口２ｅを有している。上部開口２ｅには、蓋部８が上部開口２ｅを覆うように設けられている。また、縦帯体１５，１５は、上下が後述するフレーム体１１の上枠材１１ｇ及び下枠材１１ｅに設けられた補強帯１１ｄ及びメッシュネット１０にそれぞれ縫合されて張設されることにより、フレーム体１１の上下の拡がりを防ぐ。
肩掛けベルト３，３は、幅広帯状で、背向面ＢＰの上下において４ヶ所で着脱自在に係合されている。
【００１２】
サポータ４は、収納部２の上下左右に沿って設けられた金属製のフレーム体１１と、フレーム体１１に取付けられ、収納部２から離間して設けられた通気性を有するメッシュネット１０と、メッシュネット１０および収納部２との間に、フレーム体１１にスプリング（弾性部材）１２を介して取付けられる左右一対のボール部材１３，１３と、長尺袋状の補強帯１１とを有している（図２参照）。補強帯１１ｄは、フレーム体１１の周上に沿って内側縁が縫合されて、フレーム体１１を内部に包含するように設けられている。
【００１３】
図１及び図４に示すように、フレーム体１１は、例えばバネ材であるスチール製の管体を用いて環状に形成されている。フレーム体１１は、上側となる上枠材１１ｇ及び下側となる下枠材１１ｅと、上枠材１１ｇ及び下枠材１１ｅの左側及び右側に位置する左フレーム枠材１１ｆ及び右フレーム枠材１１ｆとが連結され、上枠材１１ｇに設けられた上端部１１ｈ，１１ｉが係合することにより、環状で一体に連結されて、双曲放物線に近似する所定の湾曲した形状となる。
そして、補強帯１１ｄの内側には、メッシュネット１０の外周縁が縫合されている。メッシュネット１０は、フレーム体１１によって張設されて、着用者Ｐの背中ＰＢにフィットする立体的な鞍型形状となる。
【００１４】
フレーム体１１は、図３及び図４に示すように、左右方向Ｘにおいて、収納部２の左側２ｃ及び右側２ｄでは、収納部２から離間する方向（着用者Ｐの前方）Ａ１，Ａ２に向けて凸となるように、左，右フレーム枠材１１ｆ，１１ｆを湾曲させている。
また、図２及び図４に示すように、フレーム体１１は、収納部２の上下方向Ｚにおいて、収納部２の上側２ａ及び下側２ｂでは、収納部２に近づく方向（着用者Ｐの後方）Ｂ１，Ｂ２に湾曲して形成されている。
これにより、フレーム体１１は、着用者Ｐの背中ＰＢの形状に沿った状態になる。特に左フレーム枠材１１ｆ及び右フレーム枠材１１ｆは、着用者Ｐの背中ＰＢに沿った形状となるので歩行時の腕振りを行うときに邪魔にならなくて都合がいい。
【００１５】
さらに、図５に示すように、環状に形成されたフレーム体１１の外形は、収納部２の外形よりも大きくなるように設定されている。
メッシュネット１０は、フレーム体１１に係合されてフレーム体１１の環内に張られている。メッシュネット１０は、網目状で例えばポリエステル繊維で構成されていて、速乾性を有するとともに、可撓性を有している。ポリエステル繊維は、着用者の身体にフィットし、リュックサック１の荷重を分散する。
メッシュネット１０は、例えば、補強帯１１ｄを介してフレーム体１１の環状内に設けられて、着用者Ｐの背中ＰＢに沿って湾曲して張られることになる。
【００１６】
ボール部材１３，１３は、スプリング１２を介して、フレーム体１１に取付けられる。この実施形態のスプリング１２は、同じ長さのコイルスプリングである第１スプリング（第１弾性部材）１２ａと第２スプリング（第２弾性部材）１２ｂとを有している。
そして、第１スプリング１２ａと第２スプリング１２ｂとの左，右外側の各一端は、左，右フレーム枠材１１ｆ，１１ｆのうち、収納部２から離間する方向に凸となっている部分に取り付けられている。
【００１７】
また、第１スプリング１２ａと第２スプリング１２ｂとの左，右内側の各他端は、左右方向Ｘに一列で、間隔を拡げないように連結された一対のボール部材１３，１３に取り付けられている。
この実施形態のボール部材１３，１３は、球状に形成されていて、スプリング１２の支持軸を回動中心として前後方向に回転可能となるように支持されている。ボール部材１３は、テニスボールより小さく、ピンポン球より大きい程度が好ましく、更には、ゴルフボール程度の大きさの木製の球体によって構成されることがなお好ましい。
【００１８】
そして、図２に示すように、ボール部材１３，１３は、サポータ４と収納部２とが組合わされた状態で、メッシュネット１０と収納部２との間に配置されて、第１スプリング（第１弾性部材）１２ａと第２スプリング（第２弾性部材）１２ｂとにより、メッシュネット１０を押す方向に付勢される。これにより、ボール部材１３，１３は、スプリング１２の張力により、メッシュネット１０を介して着用者Ｐの背中ＰＢを押圧する。
【００１９】
図４に示すように、収納部２の背板２４には、左右方向Ｘに沿わせて横帯体１６が設けられている。横帯体１６は、図１に示すように、縦帯体１５，１５と収納部２の背板２４との間に移動自在となるように挿通されていて、図５に示す揺動方向Ｕの移動を許容するとともに、図２に示す着用者Ｐの後方（Ｂ２方向）への移動を規制する。
【００２０】
さらに、図５に示すように、フレーム体１１は、一対の上端部１１ｈ，１１ｉ間に設けられたロックナット１１ａを反対側のネジ部１１ｂに係合，離反させることができる。
また、吊下リボン９は、収納部２の上側２ａ中央に設けられている。そして、ロックナット１１ａをネジ部１１ｂに係合させた状態で、吊下リボン９をベルト挿通部１７の首部に係止して、収納部２をフレーム体１１の左右方向Ｘの中心に吊下げる。吊下げられた吊下リボン９のリボン輪９ａの幅方向内寸法よりも、ベルト挿通部１７は、大きくなるように形成されている。
【００２１】
また、図１に示すように、肩掛けベルト３，３の上部は、フレーム体１１のベルト挿通部１７にＸ状にクロスされた状態で挿通されている。肩掛けベルト３，３の下部は、フレーム体１１の下辺の左，右両端部に形成されたベルト挿通用の環状のリング部１１ｃ，１１ｃにそれぞれ挿通されている。
各肩掛けベルト３，３の上端及び下端には、カナビラ２２，２２がそれぞれ設けられている。また、図２に示すように、収納部２の上側２ａ及び下側２ｂの前面には、係止リングを有する係止部２０，２０が設けられている。そして、上下端のカナビラ２２，２２は、係止部２０，２０のリングにそれぞれ着脱自在に係止されている。
【００２２】
肩掛けベルト３，３は、長さを変更することにより、収納部２の上下方向Ｚの位置を着用者Ｐの体格に合わせて調整可能である。この際、フレーム体１１の左，右フレーム枠材１１ｆ，１１ｆは、着用者Ｐの両脇ＰＷに左，右からメッシュネット１０を密着させてホールドしている。
このため、ボール部材１３，１３の位置は、上下，左右方向で着用者Ｐの背骨Ｆのうち、指圧効果が高い部分からずれることなく、正確な位置に当接して、適切に刺激を加えることができる。
【００２３】
次に、この実施形態のリュックサック１の作用効果について説明する。
この実施形態のリュックサック１は、着用者Ｐが背中ＰＢにリュックサック１を着用すると、湾曲形成された左，右フレーム枠材１１ｆ，１１ｆ間に張設された左，右一対の第１スプリング１２ａ，第２スプリング１２ｂにより、ボール部材１３は、背中ＰＢの中央の所望の箇所に当接する位置に配置されて、メッシュネット１０をクッションとして介在させた状態で背骨Ｆの周囲を押圧する。
【００２４】
図５に示すように、ボール部材１３，１３は、着用者Ｐの第８胸椎Ｆ８から第１０胸椎Ｆ１０の間に位置して、背骨Ｆを左，右両側から、たとえば、親指の腹で押すように的確に押圧する。着用者Ｐは、所望の箇所を左，右両側からほぼ均等に押圧されて、刺激されることにより、健康増進効果が期待できる。
この際、ボール部材１３，１３は、メッシュネット１０をクッションとして介在させた状態で、背中ＰＢに当接するので、直接当接する場合に比して、衝撃が緩和される。
【００２５】
また、ボール部材１３，１３間を離間させる力が作用しても、間隔が拡がることなく、第１スプリング１２ａと第２スプリング１２ｂとが伸長して吸収する。したがって、ボール部材１３，１３の左右方向Ｘへの位置ずれが抑制されて、的確に指圧効果の高い箇所にボール部材１３，１３を当接させることができる。
【００２６】
さらに、ボール部材１３とメッシュネット１０との摺接力を調整して、上下方向Ｚに凹凸している背骨Ｆ（図５参照）に沿って、ボール部材１３を当接させて、縦方向に回転させながら、第８胸椎Ｆ８から第１０胸椎Ｆ１０の間の神経に良好な刺激を与えることができる。
【００２７】
また、図４に示すように、フレーム体１１の左，右フレーム枠材１１ｆ，１１ｆは、収納部２から離間して着用者Ｐの前方の方向Ａ１，Ａ２に廻込むように湾曲している。サポータ４は、着用者Ｐの背中ＰＢから左，右の両脇ＰＷまで広い面積で、メッシュネット１０を密着させる。
この際、フレーム体１１は、弾性を有するバネ材から形成されているので、着用者Ｐの前方の方向Ａ１，Ａ２に廻込むように湾曲した左，右フレーム枠材１１ｆ，１１ｆは、上側２ａ及び下側２ｂでは、収納部２に近づく後方の方向Ｂ１，Ｂ２に湾曲して、さまざまな体型にフィットさせてホールド性を良好なものとすることができる。
特に、ベルト挿通部１７に係止されたリボン９によって、リュックサック１の重さがバネ材で形成されているフレーム体１１に伝わって、上枠材１１ｇ及び下枠材１１ｅをそれぞれ後方の方向Ｂ１，Ｂ２に湾曲させる。このため、左，右フレーム枠材１１ｆ，１１ｆは、さらに着用者Ｐの前方の方向Ａ１，Ａ２に廻込むように、左，右の両脇ＰＷ（図５参照）に近接して、フィット感を向上させることができる。
【００２８】
さらに、図５に示すように、サポータ４は、収納部２の上側２ａ及び下側２ｂで収納部２に近づく方向Ｂ１，Ｂ２に湾曲して形成されていて、側面視で凹状に湾曲した着用者Ｐの背中ＰＢにメッシュネット１０を広範囲で密着させる。
特に着用者Ｐの腰部近傍では、メッシュネット１０の左右に広がる幅広形状の部分を腰部上部に当接させて包み込むような大きさで密着させて、収納部２から加わる荷重を分散させるため、サポータ４に不均等な荷重が加わることなく、着用者Ｐの身体の負担を軽減することができる。
このように、環状に形成されたフレーム体１１の外形を収納部２の外形よりも大きくする。これにより、収納部２の大きさに拘らず、着用者Ｐの身体に密着させるメッシュネット１０の面積が広く設定されて、リュックサック１の重量を分散して支持することができる。
【００２９】
そして、図２に示すように、リュックサック１のボール部材１３と収納部２との間には、空隙部分が形成されて三層構造となる。このため、収納部２の背板２４の背向面ＢＰが直接、背中ＰＢに密着することがなく、メッシュネット１０を空気が通過して放熱することができる。
もし、仮に、収納部２の着用者Ｐ側の背板２４（図２参照）がメッシュネット１０方向に近接しても、背板２４とメッシュネット１０との間に介在されたボール部材１３に背向面ＢＰが干渉することによって空隙が維持されて風通しが良好である。
また、背板２４は、湾曲する背中ＰＢから離間しているので、背中ＰＢを丸めても、収納部２が変形しにくい。したがって、収納部２内にタブレットやノートパソコン等の破損の虞のある電子機器等を背板２４に沿わせて効率よく収納することができる。
【００３０】
さらに、収納部２内に適度な主な重さの荷物、たとえば１〜５ｋｇ程度、好ましくは、２．５ｋｇ程度の重量を有する荷物を入れることにより、ボール部材１３，１３によって着用者Ｐの第８胸椎Ｆ８から第１０胸椎Ｆ１０の間を押圧する力を適宜、調整することが可能である。
また、図２に示すように、ボール部材１３，１３の位置を支点として着用者Ｐの肩ＰＳが収納部２によって後の方向Ｂ１に引かれるため、ネコ背にもよい。
【００３１】
さらに、ホールド性が良好なサポータ４は、位置ズレしにくい。このため、図５に示すように、ボール部材１３，１３を所望の箇所に当接させながら、ベルト挿通部１７に係止されたリボン輪９ａを揺動中心とする揺動方向Ｕへの収納部２の相対移動が許容される。
そして、吊下リボン９を揺動中心とする揺動方向Ｕへの収納部２の移動を角度センサ等の計測機器で計測して、着用者Ｐのスマートフォンに転送するようにしてもよい。
【００３２】
また、この実施形態のリュックサック１は、収納部２をサポータ４から容易に装脱着できる。収納部２とサポータ４との間の位置決めは容易である。よって、収納部２をサポータ４から取り外して、再び収納部２をサポータ４に装着しても同じ位置にボール部材１３，１３を配置できる。また、使用目的に応じて、ナップザックや収納部２の形状の相違するリュックサックなどをサポータ４に組み合わせ、装着することができる。
さらに、着用者Ｐは、一旦下ろしたリュックサック１を背負い直しても、前回と同じ位置にボール部材１３，１３を配置でき、同様の指圧効果を得られる。
【００３３】
また、図４に示すように、収納部２の上辺に設けられた吊下リボン９に一対の上端部１１ｈ，１１ｈをそれぞれ挿通させてから、ロックナット１１ａおよびネジ部１１ｂの間を締結する。ベルト挿通部１７は、リボン輪９ａよりも大きく形成されている。このため、吊下リボン９は、ベルト挿通部１７から抜落ちにくい状態となり、さらに安定して収納部２を支持することができる。
【００３４】
［変形例］
図６を用いて、変形例のリュックサック１０１を説明する。なお、前記実施形態のリュックサック１と同一乃至均等な部分については、同一符号を付して説明する。
図６に示すリュックサック１０１は、収納部１０２と、収納部１０２に取り付けられた一対の肩掛けベルト３，３と、サポータ１０４とを備えている。サポータ１０４は、収納部１０２を支持して着用者Ｐの背中ＰＢに装着される。そして、この変形例のリュックサック１０１では、収納部１０２とサポータ１０４とが一体に接続されている。
【００３５】
リュックサック１０１の収納部１０２の上側１０２ａには、筒状の上フレーム挿通部１１１が固着されている。この上フレーム挿通部１１１は、左右の上枠材１１ｇ，１１ｇを左右開口部からそれぞれ挿通している。そして、各上枠材１１ｇ，１１ｇの上端部１１ｈ，１１ｉをこの上フレーム挿通部１１１の上面側からそれぞれ突出させている。
【００３６】
また、収納部１０２の下側１０２ｂには、筒状の下フレーム挿通部１１２が設けられている。下フレーム挿通部１１２は背板２４に固着されている。そして、この下フレーム挿通部１１２は、左右方向Ｘに長手方向を沿わせた下枠材１１ｅを挿通している。
【００３７】
次に、この変形例のリュックサック１０１の作用効果について説明する。
このように構成された変形例のリュックサック１０１は、実施形態のリュックサック１の作用効果に加えてさらに、収納部１０２は、サポータ１０４と一体に接続されていて、移動しにくい。
他の構成及び作用効果は、前記実施形態のリュックサック１と同一乃至均等であるので説明を省略する。
【００３８】
本発明は、上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、たとえば以下のようなものである。
【００３９】
この実施形態では、リュックサック１の収納部２として、袋状を呈して、上側２ａに荷物を出入可能で蓋部８により開閉可能な上部開口２ｅを有するものを示して説明してきたが特にこれに限らず、例えば、ナップザックや収納部２の形状の相違するリュックサック等、サポータ４によって支持できるものであれば、どのような形状、数量および材質で形成されていてもよい。
【００４０】
また、リュックサック１の収納部２とサポータ４とが係脱着可能な肩掛けベルト３を用いて分離可能となるものを示して説明してきた。しかしながら、特にこれに限らず、たとえば、肩掛けベルト３の途中で分割する等、他の分離可能な部位で収納部２とサポータ４とが分離可能であってもよい。
さらに、変形例のリュックサック１０１では、収納部１０２とサポータ１０４とが上，下フレーム挿通部１１１，１１２によって一体となる構成を示して説明してきた。しかしながら、特にこれに限らず、たとえば、他の接続部位で収納部２とサポータ４とが一体となっているものであってもよい。
【００４１】
そして、メッシュネット１０は、通気性を有していれば、網状の部分の目の大きさがどのようなものであってもよく、目の大きさの違う複数の種類のメッシュネットを組合せて構成されているものであってもよい。また、伸縮性があってもよく、着用者Ｐの身体にフィットするものであれば、どのような材質のメッシュネットであってもよい。なお、メッシュネット１０が張られる範囲も、フレーム体１１の内側全域に限らず、例えば左，右一対の縦帯体１５の間等、フレーム体１１の内側の一部であってもよく、収納部２がナップザックのような袋状のものでも、縦帯体１５の間からボール部材１３，１３または、メッシュネット１０に直接当接することが無いように張設されていれば、メッシュネット１０の形状および張設される箇所が限定されるものではない。
【００４２】
さらに、実施形態では、フレーム体１１として、金属製のフレーム枠材を環状に連結したものを示して説明してきたが、特にこれに限らない。例えば、フレーム枠材を方形あるいは楕円、長円形状に接続し、あるいは、カーボンファイバ製の材料を用いて構成されていてもよく、フレーム体１１の数量、形状および材質が限定されるものではない。なお、フレーム体１１は、管状材だけでなく中実材で形成される構成でも良く、５ｋｇ〜１０ｋｇで弾性変形するバネ性を備えていることがより好ましい。
【００４３】
また、弾性部材としてのスプリング１２は、この実施形態の形状のスプリング１２に限定されず、放射状等、他の対角に設けられてもよく、材質は、ゴム部材等の他の材質の弾性部材を用いてもよい。
そして、弾性部材は、フレーム体１１の上枠材１１ｇや下枠材１１ｅに接続されて指圧部材を支持するものであってもよい。すなわち、弾性部材は、フレーム体１１に指圧部材を取付けて、メッシュネット１０を着用者Ｐの背中ＰＢの方向に付勢するものであればよく、弾性部材の形状、数量、材質およびこれらの組合せが特に限定されるものではない。
【００４４】
さらに、指圧部材としてのボール部材１３は、木製である必要はなく、たとえば樹脂製、陶磁器（セラミック）製、ゴム製、金属製等、どのような材質で作られていてもよく、形状も、球形に限らず、たとえば半球形や多面体等、どのような形状であってもよい。また、数量についても、一対に限らず、一つあるいは、３個以上の複数であっても離間しないように支持されているものであればよい。
【００４５】
また、ボール部材１３，１３は、着用者Ｐの第８胸椎Ｆ８から第１０胸椎Ｆ１０の間に位置している。しかしながら、特にこれに限らず、左，右フレーム枠材１１ｆ，１１ｆに接続されるスプリング１２の上下方向Ｚの位置を変更可能な範囲内で、たとえば、「頚椎」「胸椎」「腰椎」「仙骨」等の背骨Ｆのどの部分に、ボール部材１３，１３を当接させるようにしてもよい。
【００４６】
なお、この実施形態では、サポータ４に収納部２を吊り下げるために、予め収納部２に設けられている吊下リボン９を用いて固定している。しかしながら、特にこれに限らない。例えば、ファスナのようなもので、収納部２にサポータ４を固定してもよい。
また、収納部２や肩掛けベルト３の大きさが特に実施形態のリュックサック１に、限定されるものではない。たとえば、鞄形状、ランドセル形状、巾着形状の収納部２や紐状の肩掛けベルト３等、形状、大きさおよび材質がどのようなものであってもよい。
【符号の説明】
【００４７】
１      リュックサック
２      収納部
３      肩掛けベルト
４      サポータ
１０    メッシュネット
１１    フレーム体
１２    スプリング（弾性部材）
１３    ボール部材（指圧部材）
【図１】
2020089505.tif 000003
【図２】
2020089505.tif 000004
【図３】
2020089505.tif 000005
【図４】
2020089505.tif 000006
【図５】
2020089505.tif 000007
【図６】
2020089505.tif 000008